(57)【要約】本発明は、布地がその上に付着した柔軟化活性物質を有する、布地を洗濯する方法に関する。本発明はまた、ａ）アニオン性界面活性剤と０％非イオン性界面活性剤、又はｂ）この方法において５／１〜２３／１の割合で使用されるアニオン性界面活性剤と非イオン性界面活性剤を含む液体洗濯洗剤組成物の使用にも関する。【特許請求の範囲】
【請求項１】
布地を洗濯するための方法であって、
ａ．その上に付着した柔軟化活性物質を含む布地を得る工程と、
ｂ．洗濯工程で前記布地を処理する工程であって、前記洗濯工程が、前記布地を洗濯液と接触させることを含む、工程と
を含み、
前記洗濯液は、液体洗濯洗剤組成物を水中で３００〜８００倍、好ましくは４００〜７００倍希釈することによって調製され、
前記液体洗濯洗剤組成物は、
ｉ）前記液体洗濯洗剤組成物の１０重量％〜５０重量％、好ましくは１５重量％〜４５重量％、より好ましくは２０重量％〜４５重量％、更により好ましくは２５重量％〜４５重量％、最も好ましくは３０重量％〜４５重量％の非石鹸アニオン性界面活性剤及び前記液体洗濯洗剤組成物の０重量％の非イオン性界面活性剤、又は
ｉｉ）非石鹸アニオン性界面活性剤、好ましくは前記液体洗濯洗剤組成物の１０重量％〜５０重量％、より好ましくは１５重量％〜４５重量％、更により好ましくは２０重量％〜４５重量％、更により好ましくは２５重量％〜４５重量％、最も好ましくは３０重量％〜４５重量％の非石鹸アニオン性界面活性剤、及び非イオン性界面活性剤であって、前記液体洗濯洗剤組成物中のアニオン性界面活性剤と非イオン性界面活性剤との重量比が、５：１〜２３：１、好ましくは７：１〜２３：１、より好ましくは８：１〜２３：１、更により好ましくは９：１〜２０：１である非イオン性界面活性剤
を含み、
前記非イオン性界面活性剤は、脂肪族アルコールアルコキシレート、オキソ合成脂肪族アルコールアルコキシレート、ゲルベアルコールアルコキシレート、アルキルフェノールアルコールアルコキシレート、アルキルポリグルコシド（ＡＰＧ）、又はこれらの混合物から選択される、布地を洗濯するための方法。
【請求項２】
請求項１に記載の方法であって、
ｃ．すすぎ工程で工程ｂから前記布地を処理する工程であって、前記すすぎ工程が、前記布地をすすぎ溶液と接触させることを含む、工程を含み、
前記すすぎ溶液が、布地柔軟化組成物を水中で希釈することによって調製され、前記布地柔軟化組成物は柔軟化活性物質を含む、方法。
【請求項３】
前記非イオン性界面活性剤が、アルコールエトキシレート非イオン性界面活性剤を含み、好ましくは、アルコール炭素鎖中に平均して８〜１８個、より好ましくは１０〜１６個、更により好ましくは１２〜１５個の炭素原子と、エトキシル化鎖中に平均して５〜１２、好ましくは６〜１０、より好ましくは７〜８個のエトキシ単位とを含む、アルコールエトキシレート非イオン性界面活性剤を含み、更により好ましくは、前記非イオン性界面活性剤は、脂肪族アルコールエトキシレート非イオン性界面活性剤からなる、請求項１または２に記載の方法。
【請求項４】
前記非石鹸アニオン性界面活性剤が、好ましくは、直鎖アルキルベンゼンスルホネート、アルキルサルフェート、アルコキシル化アルキルサルフェート、又はこれらの混合物から選択され、好ましくは、直鎖アルキルベンゼンスルホネートとアルコキシル化アルキルサルフェートとの重量比が、１５：１〜１：３、好ましくは、１０：１〜１：２、より好ましくは５：１〜１：１、更により好ましくは３：１〜１：１、最も好ましくは２：１〜１：１である、請求項１〜３のいずれか一項に記載の方法。
【請求項５】
非石鹸アニオン性界面活性剤と非イオン性界面活性剤、好ましくは、前記液体洗濯洗剤組成物中の脂肪族アルコールエトキシレートとの重量比が、５：１〜２３：１、好ましくは１．３：１〜１５：１、より好ましくは１．５：１〜１０：１である、請求項１〜４のいずれか一項に記載の方法。
【請求項６】
アルコキシル化アルキルサルフェートと非イオン性界面活性剤、好ましくは脂肪族アルコールエトキシレートとの重量比が、２：１〜２０：１、好ましくは２：１〜１０：１、より好ましくは２：１〜５：１である、請求項４または５に記載の方法。
【請求項７】
前記液体洗濯洗剤組成物が、前記液体洗濯洗剤組成物の２０重量％〜６０重量％、好ましくは３０重量％〜５０重量％、より好ましくは３５重量％〜４５重量％の非石鹸界面活性剤を含む、請求項１〜６のいずれか一項に記載の方法。
【請求項８】
前記液体洗濯洗剤組成物が、前記液体洗濯洗剤組成物の０．５重量％〜１５重量％、好ましくは１重量％〜１３重量％、最も好ましくは１．５重量％〜１２．５重量％の水を含む、請求項１〜７のいずれか一項に記載の方法。
【請求項９】
前記液体洗濯洗剤組成物が、前記液体洗濯洗剤組成物の１重量％〜２０％、好ましくは３重量％〜１５％、より好ましくは５重量％〜１０重量％の、脂肪酸、中和脂肪酸石鹸又はこれらの混合物を含む、請求項１〜８のいずれか一項に記載の方法。
【請求項１０】
前記液体洗濯洗剤組成物が、ポリマー、好ましくは、アルコキシル化、好ましくはエトキシル化ポリエチレンイミン、アルコキシル化ポリアルキルフェノール、両親媒性グラフトコポリマー、ポリエステルテレフタレート、任意であるが好ましくは四級化ヒドロキシエチルセルロース、カルボキシメチルセルロース又はこれらの混合物から選択されるポリマーを含む、請求項１〜９のいずれか一項に記載の方法。
【請求項１１】
前記柔軟化活性物質が、第四級アンモニウム化合物、アミン、脂肪酸エステル、ショ糖エステル、シリコーン、分散性ポリオレフィン、多糖類、脂肪酸、柔軟化油、ポリマーラテックス、柔軟化粘土及びこれらの組み合わせからなる群から選択され、好ましくは、前記布地柔軟化活性物質が、第四級アンモニウム化合物及びこれらの混合物からなる群から選択され、より好ましくはエステルクワットからなる群から選択され、最も好ましくは、前記布地柔軟化活性物質が、ジエステルクワット、より好ましくは、ジエチルエステルジメチルアンモニウムクロリドからなる群から選択される、請求項１〜１０のいずれか一項に記載の方法。
【請求項１２】
前記布地が、綿、ポリエステル、綿／ポリエステルブレンド又はこれらの混合物から選択される、好ましくは綿である、請求項１〜１１のいずれか一項に記載の方法。
【請求項１３】
前記工程が、自動洗濯機、手洗い操作又はこれらの混合、好ましくは自動洗濯機で行われる、請求項１〜１２のいずれか一項に記載の方法。
【請求項１４】
前記洗濯液が、５℃〜９０℃、好ましくは１０℃〜６０℃、より好ましくは１２℃〜４５℃、最も好ましくは１５℃〜４０℃の温度である、請求項１〜１３のいずれか一項に記載の方法。
【請求項１５】
前記洗濯工程は、完了までに５分〜５０分、好ましくは５分〜４０分、より好ましくは５分〜３０分、更により好ましくは５分〜２０分、最も好ましくは６分〜１８分かかる、請求項１〜１４のいずれか一項に記載の方法。
【請求項１６】
前記洗濯液が、液体洗濯洗剤組成物を水中で希釈することによって調製され、前記液体洗濯洗剤組成物が、水溶性フィルムを含む水溶性単位用量物品に含まれる、請求項１〜１５のいずれか一項に記載の方法。
【請求項１７】
洗濯プロセスにおいて布地を柔軟化する効率を改善するための、請求項１〜１６のいずれか一項に記載の液体洗濯洗剤組成物の使用であって、前記布地が、その上に付着した柔軟化活性物質を含む、使用。
【発明の詳細な説明】
【技術分野】
【０００１】
本発明は、布地がその上に付着した柔軟化活性物質を有する、布地を洗濯する方法に関する。また、この方法で使用される液体洗濯洗剤組成物の使用にも関する。
【背景技術】
【０００２】
消費者は、清潔かつ柔らかな感触を有する布地を好む。しかしながら、多くの場合、洗濯操作における布地柔軟化工程は非効率的である。この非効率性は、例えば、主サイクルからすすぎサイクルに持ち越されるアニオン性界面活性剤との錯体形成によって、柔軟化活性物質が布地上に付着するのではなく、すすぎ工程で洗い流されることに起因し得る。また、多くの場合、すすぎ工程中に布地上に付着された布地柔軟化活性物質は、布地が再度洗濯される（例えば、消費者による着用後）まで布地上に残る。しかしながら、洗濯操作中に、この付着した柔軟化活性物質は、例えば、主洗濯界面活性剤の活性物質によるストリッピング作用を介して布地から再び除去される傾向がある。これは、失われた柔軟化活性物質のその部分を戻すために、続くすすぎサイクルでより多くの布地柔軟化活性物質を添加し直す必要があることを意味する。全体的には、過剰な布地柔軟化活性物質が、洗濯操作中の様々な点での柔軟化活性物質の損失を克服するために必要であるためこれは非効率的であり、消費者体験に悪影響を及ぼす。
【発明の概要】
【発明が解決しようとする課題】
【０００３】
したがって、布地に柔軟性効果をより効率的に提供し、必要とされる布地柔軟剤の全体的な低減を可能にする布地を洗濯する方法が当該技術分野において必要とされている。
【０００４】
驚くべきことに、本発明の方法が、この技術課題を克服することがわかった。
【課題を解決するための手段】
【０００５】
本発明の第１の態様は、布地を洗濯する方法であって、
ａ．その上に付着した柔軟化活性物質を含む布地を得る工程と、
ｂ．洗濯工程で布地を処理する工程であって、洗濯工程が、布地を洗濯液と接触させることを含む、工程とを含み、
洗濯液は、液体洗濯洗剤組成物を水中で３００〜８００倍、好ましくは４００〜７００倍希釈することによって調製され、
この液体洗濯洗剤組成物は、
ｉ）液体洗濯洗剤組成物の１０重量％〜５０重量％、好ましくは１５重量％〜４５重量％、より好ましくは２０重量％〜４５重量％、更により好ましくは２５重量％〜４５重量％、最も好ましくは３０重量％〜４５％重量の非石鹸アニオン性界面活性剤及び液体洗濯洗剤組成物の０重量％の非イオン性界面活性剤、又は
ｉｉ）非石鹸アニオン性界面活性剤、好ましくは液体洗濯洗剤組成物の１０重量％〜５０重量％、より好ましくは１５重量％〜４５重量％、更により好ましくは２０重量％〜４５重量％、更により好ましくは２５重量％〜４５重量％、最も好ましくは３０重量％〜４５重量％の非石鹸アニオン性界面活性剤、及び非イオン性界面活性剤であって、液体洗濯洗剤組成物中の非石鹸アニオン性界面活性剤と非イオン性界面活性剤との重量比は、５：１〜２３：１、好ましくは７：１〜２３：１、より好ましくは８：１〜２３：１、更により好ましくは９：１〜２０：１である非イオン性界面活性剤を含み、
非イオン性界面活性剤は、脂肪族アルコールアルコキシレート、オキソ合成脂肪族アルコールアルコキシレート、ゲルベアルコールアルコキシレート、アルキルフェノールアルコールアルコキシレート、アルキルポリグルコシド（ＡＰＧ）、又はこれらの混合物から選択される。
【０００６】
本発明の第２の態様は、洗濯プロセスにおける布地を柔軟化する効率を改善するための、本明細書に記載の液体洗濯洗剤組成物の使用であって、当該布地が、その上に付着した柔軟化活性物質を含む、使用である。
【発明を実施するための形態】
【０００７】
方法
本発明は、布地を洗濯する方法を開示する。
【０００８】
方法は、
ａ．柔軟化活性物質が付着した布地を得る工程を含む。
【０００９】
洗濯される布地は、任意の好適な布地であってよい。布地は、好ましくは、天然繊維又は人工繊維のネットワークを含む、織物又は布を意味する。当業者であれば、好適な布地を認識しているであろう。布地は、綿、ポリエステル、綿／ポリエステルブレンド又はこれらの混合物から選択され、好ましくは綿であり得る。布地は、除去される染み、汚れ、又はこれらの混合物を含んでもよい。当業者であれば、除去される好適な染み又は汚れを認識しているであろう。
【００１０】
布地柔軟化活性物質は、前の洗濯操作において布地上に付着されていてもよい。
【００１１】
当業者であれば、好適な柔軟化活性物質が認識されよう。柔軟化活性物質について、以下に更に詳細に記載する。
【００１２】
方法は、
ｂ．洗濯工程で布地を処理する工程を更に含み、洗濯工程が、布地を洗濯液と接触させることを含む。
【００１３】
洗濯液は、液体洗濯洗剤組成物を水中で３００〜８００倍、好ましくは４００〜７００倍希釈することによって調製される。液体洗濯洗剤組成物については、以下で詳述する。
【００１４】
方法は、
ｃ．すすぎ工程で工程ｂからの布地を処理する工程を更に含み得、すすぎ工程が、布地をすすぎ溶液と接触させることを含む。
【００１５】
すすぎ溶液は、布地柔軟化組成物を水中で希釈することによって調製され、布地柔軟化組成物は柔軟化活性物質を含む。柔軟化組成物は以下により詳細に記載されている。
【００１６】
この方法の工程は、自動洗濯機、手洗い操作又はこれらの混合、好ましくは自動洗濯機で行われてもよい。当業者であれば、好適な手洗い及び自動洗濯方法を認識しているであろう。自動洗濯方法は、自動洗濯機で行われる。
【００１７】
好ましくは、洗濯液は、５℃〜９０℃、好ましくは１０℃〜６０℃、より好ましくは１２℃〜４５℃、最も好ましくは１５℃〜４０℃の温度である。
【００１８】
好ましくは、洗浄工程は完了するのに、５分〜５０分、好ましくは５分〜４０分、より好ましくは５分〜３０分、更により好ましくは５分〜２０分、最も好ましくは６分〜１８分かかってもよい。
【００１９】
好ましくは、洗濯液は、１Ｌ〜６４Ｌ、好ましくは２Ｌ〜３２Ｌ、より好ましくは３Ｌ〜２０Ｌの水を含み得る。
【００２０】
理論に束縛されるものではないが、本発明の方法は、洗濯方法中に除去される布地上に付着した布地柔軟化活性物質がより少なくなると考えられる。これは、異なる洗濯方法で洗濯された布地と比較して、布地が洗濯方法の終了時により柔らかい感触を有することを意味する。これは、有益性を提供する液体洗濯洗剤組成物の特定の選択を含む方法における工程の具体的な組み合わせである。
【００２１】
液体洗濯洗剤組成物
この液体洗濯洗剤組成物は、
ｉ）液体洗濯洗剤組成物の１０重量％〜５０重量％、好ましくは１５重量％〜４５重量％、より好ましくは２０重量％〜４５重量％、更により好ましくは２５重量％〜４５重量％、最も好ましくは３０重量％〜４５重量％の非石鹸アニオン性界面活性剤及び液体洗濯洗剤組成物の０重量％の非イオン性界面活性剤、又は
ｉｉ）非石鹸アニオン性界面活性剤、好ましくは液体洗濯洗剤組成物の１０重量％〜５０重量％、より好ましくは１５重量％〜４５重量％、更により好ましくは２０重量％〜４５重量％、更により好ましくは２５重量％〜４５重量％、最も好ましくは３０重量％〜４５重量％の非石鹸アニオン性界面活性剤、及び非イオン性界面活性剤であって、液体洗濯洗剤組成物中のアニオン性界面活性剤と非イオン性界面活性剤との重量比は、５：１〜２３：１、好ましくは７：１〜２３：１、より好ましくは８：１〜２３：１、更により好ましくは９：１〜２０：１である非イオン性界面活性剤を含み、
非イオン性界面活性剤は、脂肪族アルコールアルコキシレート、オキソ合成脂肪族アルコールアルコキシレート、ゲルベアルコールアルコキシレート、アルキルフェノールアルコールアルコキシレート、アルキルポリグルコシド（ＡＰＧ）、又はこれらの混合物から選択される。
【００２２】
好ましくは、この液体洗濯洗剤組成物は、
ｉ）液体洗濯洗剤組成物の１０重量％〜５０重量％、好ましくは１５重量％〜４５重量％、より好ましくは２０重量％〜４５重量％、更により好ましくは２５重量％〜４５重量％、最も好ましくは３０重量％〜４５重量％の非石鹸アニオン性界面活性剤及び液体洗濯洗剤組成物の０重量％の脂肪アルコールエトキシレート非イオン性界面活性剤、又は
ｉｉ）非石鹸アニオン性界面活性剤、好ましくは液体洗濯洗剤組成物の１０重量％〜５０重量％、より好ましくは１５重量％〜４５重量％、更により好ましくは２０重量％〜４５重量％、更により好ましくは２５重量％〜４５重量％、最も好ましくは３０重量％〜４５重量％の非石鹸アニオン性界面活性剤、及び脂肪族アルコールエトキシレート非イオン性界面活性剤であって、液体洗濯洗剤組成物中のアニオン性界面活性剤と脂肪族アルコールエトキシレート非イオン性界面活性剤との重量比が、５：１〜２３：１、好ましくは７：１〜２３：１、より好ましくは８：１〜２３：１、更により好ましくは９：１〜２０：１である脂肪族アルコールエトキシレート非イオン性界面活性剤を含む。
【００２３】
液体洗濯洗剤組成物は、水溶性フィルムを含む水溶性単位用量物品中に存在していてよい。水溶性単位用量物品について、以下に更に詳細に記載する。
【００２４】
非石鹸アニオン性界面活性剤は、好ましくは、直鎖状アルキルベンゼンスルホネート、アルキルサルフェート、アルコキシル化アルキルサルフェート、又はこれらの混合物から選択され得る。好ましくは、アルコキシル化アルキルサルフェートは、好ましくは０．５〜４、好ましくは１〜４、より好ましくは２〜４、最も好ましくは約３の平均エトキシル化度を有するエトキシル化アルキルサルフェートである。
【００２５】
好ましくは、直鎖アルキルベンゼンスルホネートとアルコキシル化アルキルサルフェートとの重量比は、１５：１〜１：３、好ましくは１０：１〜１：２、より好ましくは５：１〜１：１、更により好ましくは３：１〜１：１、最も好ましくは２：１〜１：１である。
【００２６】
非イオン性界面活性剤は、脂肪族アルコールアルコキシレート、オキソ合成脂肪族アルコールアルコキシレート、ゲルベアルコールアルコキシレート、アルキルフェノールアルコールアルコキシレート、アルキルポリグルコシド、又はこれらの混合物から選択される。好ましくは、非イオン性界面活性剤は、脂肪族アルコールエトキシレート非イオン性界面活性剤を含む。更により好ましくは、非イオン性界面活性剤は、脂肪族アルコールエトキシレート界面活性剤からなる。
【００２７】
好適な脂肪族アルコールエレキシレート非イオン性界面活性剤としては、脂肪族アルコールと１〜２５モルのエチレンオキシドとの縮合生成物が挙げられる。脂肪族アルコールのアルキル鎖は、直鎖であっても分枝鎖であってもよく、ゲルベであってもよく、一級であっても二級のいずれかであってもよく、概して８〜２２個の炭素原子を含有し得る。出発アルコールは、天然由来であってもよく、例えば、天然油から出発して、又は合成的に誘導されてもよく、例えば、オキソ−、修飾オキソ−又はフィッシャー・トロプシュ法から得られるアルコールであってもよい。オキソ−プロセス由来脂肪族アルコールの例としては、Ｓａｓｏｌ社製のＬｉａｌ及びＩｓａｌｃｈｅｍ脂肪族アルコール、及びＢＡＳＦ社のＬｕｔｅｎｓｏｌ脂肪族アルコールが挙げられる。修飾オキソプロセス由来脂肪族アルコールの例としては、Ｓｈｅｌｌ社製のネオドール脂肪族アルコールが挙げられる。フィッシャー・トロプシュ由来脂肪族アルコールとしては、Ｓａｓｏｌ社製のＳａｆｏｌ脂肪族アルコールが挙げられる。脂肪族アルコールエトキシレートのアルコキシレート鎖は、エトキシレート基のみで作製される。
【００２８】
好ましくは、脂肪族アルコールエトキシレート非イオン性界面活性剤は、アルコール炭素鎖中に平均して８〜１８個、より好ましくは１０〜１６個、更により好ましくは１２〜１５個の炭素原子と、エトキシル化鎖中に平均して５〜１２、好ましくは６〜１０、より好ましくは７〜８個のエトキシ単位とを含む。
【００２９】
好ましくは、直鎖アルキルベンゼンスルホネートと非イオン性界面活性剤との重量比は、２：１〜２０：１、好ましくは２：１〜１０：１であり、より好ましくは、５：１〜１０：１である。
【００３０】
好ましくは、アルコキシル化アルキルサルフォートと非イオン性界面活性剤との重量比は、２：１〜２０：１、好ましくは２：１〜１０：１、より好ましくは２：１〜５：１である。
【００３１】
好ましくは、直鎖アルキルベンゼンスルホネートと脂肪族アルコールエトキシレート非イオン性界面活性剤との重量比は、２：１〜２０：１、好ましくは２：１〜１０：１であり、より好ましくは、５：１〜１０：１である。
【００３２】
好ましくは、アルコキシル化アルキルサルフォートと脂肪族アルコールエトキシレート非イオン性界面活性剤との重量比は、２：１〜２０：１、好ましくは２：１〜１０：１、より好ましくは２：１〜５：１である。
【００３３】
非イオン性界面活性剤が存在する場合、好ましくは液体洗濯洗剤組成物の０．０１重量％〜１０重量％、より好ましくは０．０５重量％〜６重量％、更により好ましくは０．１重量％〜５重量％、最も好ましくは０．５重量％〜３重量％存在する。
【００３４】
非イオン性界面活性剤が存在し、非イオン性界面活性剤が、脂肪族アルコールエトキシレート非イオン性界面活性剤を含む、又はそれからなる場合、脂肪族アルコールエトキシレート非イオン性界面活性剤は、好ましくは、液体洗濯洗剤組成物の０．０１重量％〜５重量％、より好ましくは０．０５重量％〜４重量％、更により好ましくは０．１重量％〜３重量％、最も好ましくは０．５重量％〜２重量％存在する。
【００３５】
好ましくは、液体洗濯洗剤組成物は、液体洗濯洗剤組成物の２０重量％〜６０重量％、好ましくは３０重量％〜５０重量％、より好ましくは３５重量％〜４５重量％の非石鹸界面活性剤を含む。
【００３６】
好ましくは、液体洗濯洗剤組成物は、液体洗濯洗剤組成物の０．５重量％〜１５重量％、好ましくは１重量％〜１３重量％、最も好ましくは１．５重量％〜１２．５重量％の水を含む。
【００３７】
液体洗濯洗剤組成物は、液体洗濯洗剤組成物の１重量％〜２０重量％、好ましくは３重量％〜１５重量％、より好ましくは５重量％〜１０重量％の脂肪酸、中和脂肪酸石鹸又はそれらの混合物を含む。
【００３８】
液体洗濯洗剤組成物は、ポリマー、好ましくは、アルコキシル化、好ましくはエトキシル化ポリエチレンイミン、アルコキシル化ポリアルキルフェノール、両親媒性グラフトコポリマー、ポリエステルテレフタレート、ヒドロキシエチルセルロース、好ましくは四級化ヒドロキシエチルセルロース、カルボキシメチルセルロース又はこれらの混合物から選択されるポリマーを含んでもよい。
【００３９】
液体洗濯洗剤組成物は、好ましくは、ポリマー、充填剤、移染防止剤、分散剤、酵素安定剤、触媒材料、漂白剤、漂白活性化剤、ポリマー分散剤、再付着防止剤、泡抑制剤、審美的染料、乳白剤、香料、香料送達系、構造化剤、ヒドロトロープ、加工助剤、顔料、及びこれらの混合物から選択される、補助成分を含み得る。
【００４０】
水溶性単位用量物品
水溶性単位用量物品は、単位用量物品が水溶性フィルムによって取り囲まれた少なくとも１つの内部区画を含むような形状の水溶性フィルムを含み、液体洗濯洗剤組成物が当該区画内に存在する。単位用量物品は、内部区画を画定するように互いに封止された、第１の水溶性フィルムと、第２の水溶性フィルムとを含んでよい。水溶性単位用量物品は、保管中に液体洗濯洗剤組成物が区画から漏れ出さないように構成される。しかしながら、水溶性単位用量物品を水に添加すると、水溶性フィルムが溶解して、内部区画の内容物が洗浄液中に放出される。
【００４１】
区画は、洗剤組成物を保持する、単位用量物品内の密閉された内部空間を意味する、と理解すべきである。製造中、第１の水溶性フィルムは、洗剤組成物が添加される開口区画を含むような形状でよい。次に、区画の開口部を閉じる向きで、第１のフィルムを第２の水溶性フィルムで覆う。次いで、第１及び第２のフィルムは、封止領域に沿って共に封止される。
【００４２】
単位用量物品は、２つ以上の区画、更には少なくとも２つの区画、又は更には少なくとも３つの区画を含んでよい。区画は、重ね合わせる配向で、即ち、一方が他方の上に位置するように配置されてよい。このような配向では、単位用量物品は、上部、中央及び下部の３つのフィルムを含む。代替的に、区画は、平行した配向で、即ち、一方が他方に隣接する配向で位置してよい。区画は、更に「タイヤ及びリム」配置での配向であってよく、即ち、第１の区画は、第２の区画に隣接して位置するが、第１の区画は、第２の区画を少なくとも部分的に取り囲むが、第２の区画を完全には囲まない。代替的に、１つの区画が別の区画内に完全に囲まれてもよい。
【００４３】
単位用量物品が少なくとも２つの区画を含む場合、区画の片方がその他の区画より小さくてもよい。単位用量物品が少なくとも３つの区画を含む場合、区画のうちの２つが第３の区画より小さくてもよく、好ましくは、小さい方の区画が大きい方の区画上に重ね合わせられていてもよい。重ね合わせられた区画は、好ましくは、隣り合って配向される。
【００４４】
多区画配向では、本発明による洗剤組成物が区画の少なくとも１つ内に含まれてもよい。例えば、洗剤組成物は１つの区画のみに含まれてもよく、あるいは２つの区画、又は更には３つの区画に含まれてもよい。
【００４５】
各区画は、同一の組成物又は異なる組成物を含んでもよい。異なる組成物は全て同一形態であってもよい、又は異なる形態であってもよい。
【００４６】
水溶性単位用量物品は少なくとも２つの内部区画を含んでよく、液体洗濯洗剤組成物が本区画の少なくとも１つ内に含まれ、好ましくは、単位用量物品が少なくとも３つの区画を含み、洗剤組成物が本区画の少なくとも１つ内に含まれる。
【００４７】
本発明のフィルムは、水溶性又は水分散性である。好ましくは、水溶性フィルムの厚さは、２０μｍ〜１５０μｍ、好ましくは３５μｍ〜１２５μｍ、更により好ましくは５０μｍ〜１１０μｍ、最も好ましくは約７６μｍである。
【００４８】
好ましくは、最大孔径が２０μｍのガラスフィルタの使用後に、本明細書に記載の方法によって測定したフィルムの水溶性は、少なくとも５０％、好ましくは少なくとも７５％、又は更には少なくとも９５％である。
【００４９】
予め秤量した３Ｌのビーカーに、５グラム±０．１グラムのフィルム材料を添加し、２Ｌ±５ｍＬの蒸留水を添加する。これを、電磁攪拌器（Ｌａｂｌｉｎｅモデル番号１２５０又は等価物）及び５ｃｍの電磁攪拌子により、３０℃にて３０分間、６００ｒｐｍで激しく攪拌する。次いで、混合物を、上記で定義した孔径（最大２０μｍ）の折り畳んだ定性分析用焼結ガラスフィルタにより濾過する。任意の従来の方法によって、回収した濾液から水を乾燥させ、残った材料の重量を求める（これが溶解画分又は分散画分である）。次いで、溶解度又は分散性の百分率を計算することができる。
【００５０】
好ましいフィルム材料は、好ましくはポリマー材料である。フィルム材料を、当該技術分野において公知の、例えば、ポリマー材料の注型成形、吹込成形、押出成形又は吹込押出成形によって得ることができる。
【００５１】
パウチ材料として使用するのに好適な好ましいポリマー、コポリマー、又はそれらの誘導体は、ポリビニルアルコール、ポリビニルピロリドン、ポリアルキレンオキサイド、アクリルアミド、アクリル酸、セルロース、セルロースエーテル、セルロースエステル、セルロースアミド、ポリビニルアセテート、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。
【００５２】
また、ポリマーの混合物をパウチ材料として使用してもよい。
【００５３】
好ましいフィルムは、冷水、すなわち、加熱されていない蒸留水中で良好な溶解を呈するものである。好ましくは、このようなフィルムは、２４℃、更により好ましくは１０℃の温度で、良好な溶解を呈する。良好な溶解とは、上述の最大孔径が２０μｍのガラスフィルタの使用後に、本明細書に記載の方法により測定したフィルムの呈する水溶性が、少なくとも５０％、好ましくは少なくとも７５％、又は更には少なくとも９５％であることを意味する。
【００５４】
好ましいフィルムには、Ｍｏｎｏｓｏｌによって商品参照番号Ｍ８６３０、Ｍ８９００、Ｍ８７７９、Ｍ８３１０として供給されているものがある。
【００５５】
フィルムは、不透明、透明、又は半透明であってもよい。フィルムは、印刷された領域を含んでもよい。
【００５６】
印刷領域は、フレキソ印刷又はインクジェット印刷などの標準的な技術を使用して得ることができる。
【００５７】
フィルムは、嫌悪剤、例えば苦味剤を含んでもよい。好適な苦味剤としては、ナリンギン、サッカロースオクタアセテート、塩酸キニーネ、デナトニウムベンゾエート、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ、又は更には２５０〜２０００ｒｐｍが挙げられるが、これらに限定されない。
【００５８】
布地柔軟化組成物
方法は、
ｃ．すすぎ工程で工程ｂからの布地を処理する工程を更に含み得、すすぎ工程が、布地をすすぎ溶液と接触させることを含む。
【００５９】
すすぎ溶液は、布地柔軟化組成物を水中で希釈することによって調製され、布地柔軟化組成物は柔軟化活性物質を含む。
【００６０】
布地柔軟化組成物は、２％〜２５％、好ましくは３％〜２０％、より好ましくは４％〜１５％の布地柔軟化活性物質を含むことができる。布地柔軟化組成物は、以下でより詳細に説明する。
【００６１】
布地柔軟化組成物は、液体、固体、又はこれらの混合物などの任意の好適な形態であってよい。
【００６２】
布地柔軟化活性物質
布地上に付着した及び布地柔軟化組成物中の柔軟化活性物質は、同じであっても異なっていてもよい。布地上に付着した及び布地柔軟化組成物中の柔軟化活性物質は、以下に詳述する柔軟化活性物質から独立して選択される。好ましくは、布地上に付着した柔軟化活性物質は、布地柔軟化組成物に含まれるものと同じ柔軟化活性物質から選択される。
【００６３】
柔軟化活性物質は、第四級アンモニウム化合物、アミン、脂肪酸エステル、ショ糖エステル、シリコーン、分散性ポリオレフィン、多糖類、脂肪酸、柔軟化油、ポリマーラテックス、柔軟化粘土及びこれらの組み合わせからなる群から選択され得る。好ましくは、布地柔軟化活性物質は、第四級アンモニウム化合物及びこれらの混合物からなる群から選択され、より好ましくはエステルクワットからなる群から選択され、最も好ましくは、布地柔軟化活性物質は、モノエステルクワット、ジエステルクワット、トリエステルクワット及びこれらの組み合わせからなる群から選択され、より好ましくはジエチルエステルジメチルアンモニウムクロリドからなる群から選択される。
【００６４】
布地柔軟化活性物質は、第四級アンモニウム化合物及びこれらの混合物からなる群から選択されてもよく、より好ましくはエステルクワット、更により好ましくはジエステルクワット、最も好ましくはジエチルエステルジメチルアンモニウムクロリド（ＤＥＥＤＭＡＣ）からなる群から選択され得る。
【００６５】
好適な第四級アンモニウム化合物（クワット）には、エステルクワット、アミドクワット、イミダゾリンクワット、アルキルクワット、アミドエステルクワット及びこれらの組み合わせからなる群から選択される材料が含まれるが、これらに限定されない。好適なエステルクワットとしては、モノエステルクワット、ジエステルクワット、トリエステルクワット及びこれらの組み合わせからなる群から選択される材料が挙げられるが、これらに限定されない。
【００６６】
布地柔軟化活性物質は、下記式：
｛Ｒ２（４−ｍ）−Ｎ＋−［Ｘ−Ｙ−Ｒ１］ｍ｝Ａ−
（式中、
ｍは、１、２、又は３であるが、ただし、各ｍの値は、同一であり、
各Ｒ１は、独立して、ヒドロカルビル、又は置換ヒドロカルビル基であり、
各Ｒ２は、独立して、Ｃ１〜Ｃ３アルキル又はヒドロキシアルキル基であり、好ましくは、Ｒ２は、メチル、エチル、プロピル、ヒドロキシエチル、２−ヒドロキシプロピル、１−メチル−２−ヒドロキシエチル、ポリ（Ｃ２〜３−アルコキシ）、ポリエトキシ、ベンジルであり、
各Ｘは、独立して、（ＣＨ２）ｎ、ＣＨ２−ＣＨ（ＣＨ３）−又はＣＨ−（ＣＨ３）−ＣＨ２−であり、
各ｎは、独立して、１、２、３、又は４であり、好ましくは各ｎは、２であり、
各Ｙは、独立して、−Ｏ−（Ｏ）Ｃ−又は−Ｃ（Ｏ）−Ｏ−であり、
Ａ−は、塩化物、硫酸メチル、硫酸エチル及び硫酸塩からなる群から独立して選択され、好ましくはＡ−は、塩化物及び硫酸メチルからなる群から選択され、
ただし、Ｙが−Ｏ−（Ｏ）Ｃ−である場合、各Ｒ１の炭素の合計は、１３〜２１であり、好ましくはＹが−Ｏ−（Ｏ）Ｃ−である場合、各Ｒ１の炭素の合計は、１３〜１９であるものとする）の化合物を含み得る。
【００６７】
好適な市販の第四級アンモニウムエステル布地柔軟化活性物質の例は、ＫＡＯ  ＣｈｅｍｉｃａｌｓからＴｅｔｒａｎｙｌ  ＡＴ−１及びＴｅｔｒａｎｙｌ  ＡＴ−７５９０という商品名、ＥｖｏｎｉｋからＲｅｗｏｑｕａｔ  ＷＥ１６  ＤＰＧ、Ｒｅｗｏｑｕａｔ  ＷＥ１８、Ｒｅｗｏｑｕａｔ  ＷＥ２０、Ｒｅｗｏｑｕａｔ  ＷＥ２８及びＲｅｗｏｑｕａｔ  ３８  ＤＰＧという商品名で、ＳｔｅｐａｎからＳｔｅｐａｎｔｅｘ  ＧＡ９０、Ｓｔｅｐａｎｔｅｘ  ＶＲ９０、Ｓｔｅｐａｎｔｅｘ  ＶＫ９０、Ｓｔｅｐａｎｔｅｘ  ＶＡ９０、Ｓｔｅｐａｎｔｅｘ  ＤＣ９０、Ｓｔｅｐａｎｔｅｘ  ＶＬ９０Ａという商品名で入手可能である。
【００６８】
これらのタイプの薬剤及びそれらの一般的な製造方法は、米国特許第４，１３７，１８０号に開示されている。
【００６９】
第２の種類の好適な布地柔軟化活性物質は、以下の式を有する：
［Ｒ４−ｍ−Ｎ＋−Ｒ１ｍ］Ａ−  （２）
式中、各Ｒ、Ｒ１、ｍ及びＡ−は、上記と同じ意味を有する。
【００７０】
式（２）を有する布地柔軟化活性物質の非限定例は、ジカノーラジメチルアンモニウムクロリド、ジ（ハード）タロージメチルアンモニウムクロリド、ジカノーラジメチルアンモニウムメチルサルフェート、及びこれらの組み合わせなどのジアルキレンジメチルアンモニウム塩を含む。本発明で使用可能な市販のジアルキレンジメチルアンモニウム塩の例は、Ｗｉｔｃｏ  Ｃｏｒｐｏｒａｔｉｏｎから商品名Ａｄｏｇｅｎ（登録商標）４７２として入手可能なジオレイルジメチルアンモニウムクロリド、及びＡｋｚｏ  Ｎｏｂｅｌ  Ａｒｑｕａｄ  ２ＨＴ７５から入手可能なジハードタロージメチルアンモニウムクロリドである。
【００７１】
最も好ましくは、布地柔軟化活性物質は、ジエステルクワット、より好ましくはジエチルエステルジメチルアンモニウムクロリドからなる群から選択される。
【００７２】
アルキル鎖又はアルケニル鎖が由来する親脂肪族アシル化合物又は酸のヨウ素価は、０〜６０、好ましくは１２〜５８、より好ましくは１８〜５６である。
【００７３】
不飽和第四級アンモニウム化合物が組成物中に存在する場合は、上記のヨウ素価は、存在する第四級アンモニウム化合物全ての、親脂肪族アシル化合物又は脂肪酸の平均ヨウ素価を表す。
【００７４】
好適なアミンとしては、アミドエステルアミン、アミドアミン、イミダゾリンアミン、アルキルアミン、及びこれらの組み合わせからなる群から選択される材料が挙げられるが、これらに限定されない。好適なエステルアミンとしては、モノエステルアミン、ジエステルアミン、トリエステルアミン及びこれらの組み合わせからなる群から選択される材料が挙げられるが、これらに限定されない。好適なアミドアミンとしては、モノアミドアミン、ジアミドアミン及びこれらの組み合わせからなる群から選択される材料が挙げられるが、これらに限定されない。好適なアルキルアミンとしては、モノアルキルアミン、ジアルキルアミンクワット、トリアルキルアミン、及びこれらの組み合わせからなる群から選択される材料が挙げられるが、これらに限定されない。
【００７５】
布地柔軟化活性物質は脂肪酸であってよい。布地上に付着した柔軟化活性物質としての脂肪酸は、液体洗濯洗剤組成物に任意に添加される脂肪酸と異なっていてもよいことを理解されたい。用語「脂肪酸」は、本明細書では、脂肪酸の非プロトン化又はプロトン化形態を含むように、最も広い意味で使用されている。当業者は、脂肪酸がプロトン化されるか、プロトン化されないかが、一部において、水性組成物のｐＨによって決まることを容易に理解するであろう。脂肪酸は、その非プロトン化形態、又は塩形態であり、カルシウム、マグネシウム、ナトリウム、カリウムなどである得るがこれらに限定されない対イオンを伴い得る。「遊離脂肪酸」という用語は、別の化学部分に結合（共有結合又は別様に結合）していない脂肪酸を意味する。
【００７６】
脂肪酸としては、約１２〜約２５個、約１３〜約２２個、又は更には約１６〜２０個の全炭素原子が含有されていて、かつ脂肪部分に約１０〜約２２個、約１２〜約１８個、又は更には約１４（ミッドカット）〜約１８個の炭素原子が含有されているものを挙げることができる。
【００７７】
脂肪酸は、以下のものに由来し得る：（１）動物脂肪及び／又は部分水素添加動物脂肪、例えば牛脂、ラードなど、（２）植物油、及び／又は部分水素添加植物油、例えば、キャノーラ油、ベニバナ油、ピーナッツ油、ヒマワリ油、ゴマ種子油、ナタネ油、綿実油、トウモロコシ油、ダイズ油、トール油、米ぬか油、パーム油、パーム核油、ココヤシ油、他の熱帯パーム油、アマニ油、キリ油など、（３）熱、圧力、アルカリ異性化反応及び触媒処理を介したアマニ油又はキリ油などの加工油及び／又は増粘油（bodied oil）、（４）飽和（例えばステアリン酸）、不飽和（例えばオレイン酸）、多不飽和（リノール酸）、分枝状（例えばイソステアリン酸）又は環状（例えば、多不飽和酸の飽和又は不飽和α−二置換シクロペンチル又はシクロヘキシル誘導体）脂肪酸を生じさせるための、上記のものの組み合わせ。
【００７８】
異なる脂肪源由来の脂肪酸の混合物を使用することができる。
【００７９】
不飽和脂肪酸のシス／トランス比が重要である場合があり、（Ｃ１８：１材料の）シス／トランス比は、少なくとも１：１、少なくとも３：１、４：１又は更には９：１以上である。
【００８０】
また、酸化並びに結果として生じる色及び臭気の質の悪化に対してより安定であり得るので、イソステアリン酸などの分枝鎖脂肪酸も好適である。
【００８１】
脂肪酸は、０〜１４０、５０〜１２０、又は８５〜１０５のヨウ素価を有してもよい。
【００８２】
布地柔軟化活性物質は、カチオン性デンプンなどの多糖類を含んでもよい。本組成物で使用するのに好適なカチオン性デンプンは、Ｃｅｒｅｓｔａｒから商品名Ｃ＊ＢＯＮＤ（登録商標）として、及びＮａｔｉｏｎａｌ  Ｓｔａｒｃｈ  ａｎｄ  Ｃｈｅｍｉｃａｌ  Ｃｏｍｐａｎｙから商品名ＣＡＴＯ（登録商標）２Ａとして市販されている。
【００８３】
柔軟化油としては、植物油（大豆、ヒマワリ、ココヤシ油及びキャノーラ等）、炭化水素系油（天然な及び合成石油潤滑油が挙げられ、一態様においては、ポリオレフィン、イソパラフィン及び環式パラフィン）、トリオレイン、カプリル酸／カプリン酸トリグリセリド、脂肪酸エステル類（グリセロールモノステアレート及びグリセロールジステアレート等）、脂肪族アルコール類（パルミチル及びステアリルアルコール等）、脂肪族アミン、脂肪酸アミド及び脂肪酸エステルアミンが挙げられるが、これらに限定されない。
【００８４】
ショ糖エステルは、通例、ショ糖及び脂肪酸から誘導される。ショ糖エステルは、そのヒドロキシル基のうちの１つ以上がエステル化されているショ糖部分で構成されている。
【００８５】
ショ糖は、以下の式を有する二糖である。
【００８６】
【化１】
2019533042.tif 000002
【００８７】
代替的に、ショ糖分子を式Ｍ（ＯＨ）８（式中、Ｍは、二糖主鎖である）によって表すことができ、この分子中には合計８個のヒドロキシル基がある。
【００８８】
したがって、ショ糖エステルは、以下の式によって表すことができる：
Ｍ（ＯＨ）８−ｘ（ＯＣ（Ｏ）Ｒ１）ｘ
式中、ｘは、エステル化されているヒドロキシル基の数であるが、一方、（８−ｘ）は、未変化のままであるヒドロキシル基であり、ｘは１〜８、代替的に２〜８、代替的に３〜８、又は４〜８から選択される整数であり、Ｒ１部分は、独立して、Ｃ１〜Ｃ２２アルキル又はＣ１〜Ｃ３０アルコキシから選択され、直鎖又は分枝鎖であり、環式又は非環式であり、飽和又は不飽和であり、置換又は非置換である。
【００８９】
Ｒ１部分は、独立して選択され、様々な鎖長を有する直鎖アルキル又はアルコキシ部分を含み得る。例えば、Ｒ１は、直鎖アルキル又はアルコキシ部分の混合物を含み得、直鎖の２０％超がＣ１８であり、代替的に直鎖の５０％超がＣ１８であり、代替的に直鎖の８０％超がＣ１８である。
【００９０】
Ｒ１部分は、飽和及び不飽和アルキル又はアルコキシ部分の混合物を含み得る。本明細書に用いるのに好適なスクロースエステルのヨウ素価（ＩＶ）は、１〜１５０、又は２〜１００、又は５〜８５に及ぶ。Ｒ１部分を水素添加して、不飽和度を低減させてもよい。より高いＩＶ、例えば、約４０〜約９５が好ましい場合、オレイン酸、並びにダイズ油及びキャノーラ油に由来する脂肪酸が好適な出発材料である。
【００９１】
不飽和Ｒ１部分は、不飽和部位について「シス」型と「トランス」型との混合物を含み得る。シス／トランス比は、１：１〜５０：１、又は２：１〜４０：１、又は３：１〜３０：１、又は４：１〜２０：１に及び得る。
【００９２】
一般的に、布地柔軟化効果をもたらす全ての分散性ポリオレフィンを、本発明において布地柔軟化活性物質として使用することができる。ポリオレフィンは、ワックス、エマルション、分散液又は懸濁液の形態であり得る。
【００９３】
ポリオレフィンは、ポリエチレン、ポリプロピレン、又はこれらの組み合わせから選択されてよい。カルボキシル、アルキルアミド、スルホン酸又はアミド基などの様々な官能基を含有するように、ポリオレフィンを少なくとも部分的に修飾してもよい。ポリオレフィンは、少なくとも部分的にカルボキシル修飾、すなわち言い換えれば、酸化されていてもよい。
【００９４】
布地柔軟化活性物質の非限定的な例としては、分散性ポリエチレン及びポリマーラテックスが挙げられる。これらの剤は、エマルジョン、ラテックス、分散液、懸濁液などの形態であり得る。それらは、エマルション又はラテックスの形態であってもよい。分散性ポリエチレン及びポリマーラテックスは、次の範囲を含むがこれらに限定されない、広範な粒径直径（χ５０）を有することができる：１ｎｍ〜１００μｍ；代替的に１０ｎｍ〜１０μｍ。したがって、分散性ポリエチレン及びポリマーラテックスの粒径は、概して、限定するものではないが、シリコーン又は他の脂肪油よりも小さい。
【００９５】
一般に、ポリマーエマルションを作製するのに好適な任意の界面活性剤、又はポリマーラテックスの乳化重合は、本発明において活性な布地柔軟剤として使用されるポリマーエマルション及びラテックス用の乳化剤として使用することができる。好適な界面活性剤としては、アニオン性、カチオン性、及び非イオン性界面活性剤、又はこれらの組み合わせが挙げられる。一態様において、このような界面活性剤は、非イオン性及び／又はアニオン性界面活性剤である。一態様では、布地柔軟化活性物質中の界面活性剤とポリマーとの比は、それぞれ１：５である。
【００９６】
有用なシリコーンは、任意のシリコーン含有化合物であり得る。シリコーンポリマーは、環状シリコーン、ポリジメチルシロキサン、アミノシリコーン、カチオン性シリコーン、シリコーンポリエーテル、シリコーン樹脂、シリコーンウレタン、及びこれらの組み合わせからなる群から選択され得る。シリコーンは、ポリジアルキルシリコーン、代替的にポリジメチルシリコーン（ポリジメチルシロキサンすなわち「ＰＤＭＳ」）、又はこれらの誘導体であり得る。シリコーンは、アミノ官能性シリコーン、アミノ−ポリエーテルシリコーン、アルキルオキシル化シリコーン、カチオン性シリコーン、エトキシル化シリコーン、プロポキシル化シリコーン、エトキシル化／プロポキシル化シリコーン、第四級シリコーン、又はこれらの組み合わせから選択され得る。
【００９７】
好適な粘土としては、地質学的にスメクタイトとして分類される材料が挙げられる。
【００９８】
使用
本発明の更なる態様は、布地がその上に付着した柔軟化活性物質を含む、洗浄方法における布地の柔軟化効率を改善するための本明細書に記載の液体洗濯洗剤組成物の使用である。
【００９９】
液体洗濯洗剤組成物を作製する方法
当業者であれば、当該技術分野における既知の一般的な技術を使用して、水溶性の単位用量物品及び液体洗濯洗剤組成物を作製する方法を認識するであろう。
【実施例】
【０１００】
以下の布地洗浄試験を行い、液体布地柔軟剤の存在下での綿布柔軟性に対する主洗浄洗剤製品中の非イオン性界面活性剤の効果を測定した。
【０１０１】
フルスケール洗浄試験：
布地前処理工程：
２５ｃｍ×２５ｃｍの黒色綿タオル見本をＷａｒｗｉｃｋ  Ｅｑｕｅｓｔ  Ｌｔｄ．（Ｃｏｎｓｅｔｔ  Ｂｕｓｉｎｅｓｓ  Ｐａｒｋ，Ｃｏｎｓｅｔｔ  ＤＨ８  ６ＢＮ、英国）から入手し、６０℃、１５Ｌの洗濯水容量中３８ｇのＥＣＥ−２洗剤（ＭＲＰ  Ｌｔｄ  ４  Ｍｏｎｔｐ  ｅｌｉｅｒ  Ｓｔｒｅｅｔ（＃２３６）、ロンドン、Ｅｎｇｌａｎｄ  ＳＷ７  １ＥＸ）及び８ｇｐｇの水（１負荷当たり４０タオルの見本）を使用し短い綿洗濯サイクルを使用して、Ｍｉｅｌｅ  Ｗ１７１４フロントローディング機で１回洗濯した。洗濯後、洗剤を添加せずに洗濯サイクルを２回繰り返した。次いで、黒色綿タオル見本を洗濯ライン上で乾燥させた。
【０１０２】
布地洗浄工程：
次いで、前処理した黒色綿タオル見本を、２つの同様のＭｉｅｌｅ１７１４洗濯機に分け、各洗濯機は、４つの前処理された黒色綿タオル見本を含む。以下の組成の２５ｇ洗剤製品を水溶性パウチを介して各洗濯機に添加した。２．５ｇの非イオン性界面活性剤（Ｎｅｏｄｏｌ（著作権）Ｅ７  Ｓｈｅｌｌ社製）を、水溶性洗剤パウチと共に一方の洗濯機（試験機械Ｂと表す）に添加した。水溶性洗剤パウチのみを含む残りの洗濯機は、「Ａ参照」と表す。
【０１０３】
洗浄工程のための機械設定は以下のとおりであった。
・Ｍｉｅｌｅ  Ｈｏｎｅｙｃｏｍｂ  Ｃａｒｅ  Ｗ１７１４サイクル：４０Ｃ、１６００ＲＰＭ、８ｇｐｇ、１５Ｌ回の洗濯水容量を使用するランタイム＝８５分間（短い）。
・バラスト＝３．８６ｋｇの綿混合物（５６ｃｍ×５０ｃｍの５０％綿／５０％ポリエステルシート１７枚＆５４ｃｍ×５０ｃｍ）編綿シート１２枚；
・汚れ負荷＝１回のラン当たり２×ＳＢＬ２００４シート（ＭＲＰ  Ｌｔｄ  ４  Ｍｏｎｔｐｅｌｉｅｒ  Ｓｔｒｅｅｔ（＃２３６）、ロンドン、Ｅｎｇｌａｎｄ  ＳＷ７１ＥＸから入手可能）。
【０１０４】
洗濯サイクルは、方法を通して洗濯ドラム内に残っている黒色タオル及びバラスト負荷を使用して合計５回繰り返される。洗濯パウチは、洗濯負荷下でドラムの中心に直接添加される。各サイクルの終わりにＳＢＬシートを交換し、２枚の新鮮なシートを添加した。追加の非イオン性界面活性剤を、洗濯開始時に粉末引き出しを通して５％水溶液を介して機械Ｂに添加する。布地コンディショナー（Ｌｅｎｏｒ  ｓｕｐｅｒ濃縮物、２０１６年７月に英国で市販されているジエチルエステルジメチルアンモニウムクロリド−ＤＥＥＤＭＡＣ柔軟化活性物質を含む）２５ｍｌを、洗濯機ディスペンサー引き出しの適切な区画を介して各洗濯に添加した。
【０１０５】
実験は、重複して実施した。
【０１０６】
ライン乾燥（周囲室温及び湿度）後、見本の柔らかさを、３人の訓練された専門家からなる手動パネルによって測定した。各試験セット（Ａ又はＢ）からの見本を、以下の尺度を使用して柔軟性について直接比較を行った。結果を、各処理からの好ましい見本の％として、及びパネリングスコアの平均として記録した。
【０１０７】
専門家パネリングによる、一致した対の選好スコアは以下のとおり：
４−選択された製品は、全体的にかなり良好である。
３−選択された製品は、かなりより良好である。
２−選択された製品は、ややより良好である。
１−選択された製品がより良好であると思う。
０−２つの製品間に差はない。
【０１０８】
【表１】
2019533042.tif 000003
【０１０９】
上記配合物を混合し、適宜にＭＥＡ又はクエン酸を使用して、最終ｐＨを範囲７．５０〜８．００に調整する。単区画洗剤パウチは、２つの水溶性ポリビニルアルコールフィルムの間に２５ｇの洗剤製品を熱真空成形により封入することによって作製される。
【０１１０】
試験結果：
以下に集計された専門家パネルからの柔軟性の好み及び実際の等級は、追加の非イオン性界面活性剤が添加されない製品の柔軟性効果を明確に示す。
【０１１１】
【表２】
2019533042.tif 000004
【０１１２】
本明細書で開示する寸法及び値は、列挙された正確な数値に厳密に限られるとして理解されるべきではない。その代わりに、別段の指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【国際調査報告】
2019533042.tif 000005
2019533042.tif 000006